(57)【要約】【課題】回動部を本体部に対して回動可能とすることで、利便性を向上させた撮像装置を提供することを目的とする。【解決手段】画像データを逐次生成する撮像手段を有する本体部２００と、前記本体部２００に回動自在に保持され、前記画像データを表示する表示手段３０１を有する回動部３００と、を備え、前記本体部２００は、前記回動部３００の回動位置を監視し、前記表示手段３０１が被写体の方向を向いているときに、前記画像データを前記表示手段３０１に表示させる、ことを特徴とする撮像装置。【選択図】図４
2011071673.tif 000002
【特許請求の範囲】
【請求項１】
画像データを生成する撮像手段と前記画像データに基づく画像を表示する表示手段を有する本体部と、
前記本体部に回動自在に保持され、前記画像データを記憶する記憶媒体を装着可能な媒体装着手段を有する回動部と、
を備えることを特徴とする撮像装置。
【請求項２】
前記媒体装着手段は、
複数の記憶媒体を装着可能である、
ことを特徴とする請求項１に記載の撮像装置。
【請求項３】
画像データを逐次生成する撮像手段を有する本体部と、
前記本体部に回動自在に保持され、前記画像データを表示する表示手段を有する回動部と、
を備え、
前記本体部は、
前記回動部の回動位置を監視し、前記表示手段が被写体の方向を向いているときに、前記画像データを前記表示手段に表示させる、
ことを特徴とする撮像装置。
【請求項４】
画像データを生成する撮像手段を有する本体部と、
前記本体部に回動自在に保持され、表示手段を有する回動部と、
を備え、
前記本体部は、
前記回動部の回動位置を監視し、前記表示手段が被写体の方向を向いているときに、前記画像データが生成されるまでの時間に関する情報を前記表示手段に表示させる、
ことを特徴とする撮像装置。
【請求項５】
画像データを逐次生成する撮像手段を有する本体部と、
前記本体部に回動自在に保持され、表示手段を有する回動部と、
を備え、
前記本体部は、
前記回動部の回動位置を監視し、前記画像データが逐次生成され、前記表示手段が被写体の方向を向いているときに、前記表示手段を全点灯させる、
ことを特徴とする撮像装置。
【請求項６】
前記表示手段の前面には、
タッチパネルが配される、
ことを特徴とする請求項３から請求項５のいずれかに記載の撮像装置。
【発明の詳細な説明】
【技術分野】
【０００１】
本発明は、操作部を回動可能とした撮像装置に関するものである。
【背景技術】
【０００２】
タッチパネルを採用することで利便性を向上させた撮像装置として、例えば、特許文献１、特許文献２、特許文献３等が提案されている。
【０００３】
一方、撮像部を本体部に対して回動可能とした撮像装置として、例えば、特許文献４、特許文献５等が提案されている。
【先行技術文献】
【特許文献】
【０００４】
【特許文献１】特開２００７−２４３９２３号公報
【特許文献２】特開２０００−０２２９９９号公報
【特許文献３】特開２００１−０５１７９９号公報
【特許文献４】特開平１０−１２６６６１号公報
【特許文献５】特開平１０−２２９５１３号公報
【発明の概要】
【発明が解決しようとする課題】
【０００５】
本発明は、回動部を本体部に対して回動可能とすることで、利便性を向上させた撮像装置を提供することを目的とする。
【課題を解決するための手段】
【０００６】
本発明の撮像装置は、画像データを生成する撮像手段を有する本体部と、前記本体部に回動自在に保持され前記画像データを記憶する記憶媒体を装着可能な媒体装着手段を有する回動部と、を備えることを特徴とする。また、前記媒体装着手段は、複数の記憶媒体を装着可能であることを特徴とする。
【０００７】
さらに、本発明の撮像装置は、画像データを逐次生成する撮像手段を有する本体部と、前記本体部に回動自在に保持され前記画像データを表示する表示手段を有する回動部と、を備えることを特徴とする。また、前記表示手段の前面には、タッチパネルが配されることを特徴とする。
【発明の効果】
【０００８】
以上のように、本発明によれば、媒体装着手段を有する回動部が本体部に対して回動するので、利便性を向上させた撮像装置を提供することができる。また、表示手段を有する回動部が本体部に対して回動するので、利便性を向上させた撮像装置を提供することができる。
【図面の簡単な説明】
【０００９】
【図１】本発明の実施の形態に係るデジタルカメラ１００の三面図
【図２】本体部２００の断面図
【図３】回動部３００の断面図
【図４】回動部３００の回動を示す図
【図５】「自分撮り」を説明する図
【図６】本発明の実施の形態に係るデジタルカメラ１００の電源投入時の状態を示す図
【図７】タッチパネル付液晶モニタ３０１の表示例を示す図
【発明を実施するための形態】
【００１０】
（実施の形態）
（１．構成）
以下、本発明の実施の形態に係るデジタルカメラについて、図面を用いて詳細に説明する。
【００１１】
図１は、本発明の実施の形態に係るデジタルカメラ１００の三面図である。図１（ａ）は上面図であり、図１（ｂ）は前面図であり、図１（ｃ）は背面図である。
【００１２】
デジタルカメラ１００の上面には、電源ボタン２０１、シャッターボタン２０２、ズームレバー２０３、メニューボタン２０４、ＬＥＤ２０５、スピーカ開口部２０６が配されている。
【００１３】
電源ボタン２０１を押下すると、デジタルカメラ１００の電源が投入され、ＬＥＤ２０５が点灯する。デジタルカメラ１００の電源は、乾電池やリチウムイオンバッテリー等の充電池である。
【００１４】
ズームレバー２０３は、シャッターボタン２０２の周囲に回動自在に配されている。ズームレバー２０３を回動させることで、デジタルカメラ１００の撮影画角を変更することができる。ズームレバー２０３を回動させて所望の画角に設定し、シャッターボタン２０２を押下することで、被写体の画像データを得ることができる。シャッターボタン２０２は、半押しと全押しの二段階操作が可能である。シャッターボタン２０２が半押しされると、デジタルカメラ１００は、被写体に自動的にピントを合わせるオートフォーカス動作を行なう。デジタルカメラ１００は、画像データを基に被写体にピントを合わせるコントラスト方式オートフォーカスを採用している。シャッターボタン２０２が全押しされると、デジタルカメラ１００は、被写体の画像データを生成する。
【００１５】
メニューボタン２０４を押下することで、デジタルカメラ１００の各種設定を変更することができる。スピーカ開口部２０６の内部にはスピーカが配されており、各種システム音や動画再生時の音声を出力する。
【００１６】
デジタルカメラ１００の前面には、光学系２１１、フラッシュ２１３、ＡＦ補助光発光部２１４が配されている。
【００１７】
光学系２１１は、ズームレンズとフォーカスレンズを含む複数のレンズで構成されている。ズームレバー２０３を回動させると、光学系２１１内のズームレンズが光軸方向に移動し、光学系２１１の焦点距離が変わるので画角が変わる。シャッターボタン２０２を半押しすると、光学系内２１１内のフォーカスレンズが光軸方向に移動し、被写体にピントが合う。
【００１８】
デジタルカメラ１００の電源が投入されていないとき、光学系２１１は、バリア２１２によって遮蔽されている。バリア２１２は、二枚の羽根で構成されており、デジタルカメラ１００の電源が投入されると退避する。
【００１９】
フラッシュ２１３は、暗所での撮影時に閃光を発する。ＡＦ補助光発光部２１４は、暗所でのオートフォーカス動作を助けるために補助光を発する。ＡＦ補助光発光部２１４は、ＬＥＤで構成される。
【００２０】
デジタルカメラ１００は、回動部３００とその余の部分である本体部２００から構成される。回動部３００は、本体部２００に回動自在に保持されている。
【００２１】
デジタルカメラ１００の背面には、本体部２００に液晶モニタ２２１が、回動部３００にタッチパネル付液晶モニタ３０１がそれぞれ配されている。液晶モニタ２２１およびタッチパネル付液晶モニタ３０１は、いずれも有機ＥＬモニタ等のその他の表示デバイスであってもよい。
【００２２】
図２は、本発明の実施の形態に係るデジタルカメラ１００の本体部２００の断面図である。図２は、図１（ｂ）のＡ−Ａ’断面を示している。
【００２３】
光学系２１１は、対物レンズ２１５の他に前述のズームレンズ、フォーカスレンズおよびこれらを光軸方向に移動させる駆動機構等を含むが、図２では省略している。また、本体部２００には、撮像素子、ＣＰＵを含む回路基板等が内蔵されているが、図２では省略している。
【００２４】
図３は、本発明の実施の形態に係るデジタルカメラ１００の回動部３００の断面図である。図３は、図１（ｃ）のＢ−Ｂ’断面を示している。
【００２５】
回動部３００は、本体部２００に内包され、回転軸３０２を中心に本体部２００に対して回動可能である。回動部３００は、メモリカードを装着可能なカードスロット３０３、３０４を内蔵している。本体部２００と回動部３００は、回転軸３０２の内部に電気配線を挿通することで、電気的に接続されている。
（２．カードスロット）
図４は、回動部３００の回動を示す図である。図４は、図４（ａ）に示すようにタッチパネル付液晶モニタ３０１がデジタルカメラ１００の背面にある状態から、図４（ｆ）に示すようにタッチパネル付液晶モニタ３０１がデジタルカメラ１００の前面にある状態への遷移を経時的に示している。図４（ａ）から図４（ｆ）への遷移は、ユーザが回動部３００を回動させることで行なってもよいし、本体部２００が回動部３００を回動駆動する駆動機構を内蔵してもよい。
【００２６】
図４（ｂ）から図４（ｅ）に示す回動途中の状態では、カードスロット３０３の開口部が露出する。デジタルカメラ１００の背面においても、カードスロット３０４の開口部が露出する。したがって、図４（ｂ）から図４（ｅ）に示す回動途中の状態において、ユーザはカードスロット３０３、３０４にメモリカードを装着したり、メモリカードを交換したりすることができる。
【００２７】
従来のデジタルカメラにおいて、カードスロットは本体の底面や側面に配され、その開口部は蓋機構により遮蔽されるのが通例であった。このような構成では、底面や側面を向くようにデジタルカメラを持ち替えて、蓋機構を開放してからメモリカードを装着したり、メモリカードを交換したりしなければならなかった。本発明の実施の形態に係るデジタルカメラ１００では、デジタルカメラ１００を持ち替えることなく、回動部３００を回動させるという簡単な操作でメモリカードを装着したり、メモリカードを交換したりすることができるので、利便性を向上させることができる。
【００２８】
また、回動部３００は、二つのカードスロット３０３、３０４を備えているので、カードスロット３０３、３０４に装着されたメモリカード間で画像データのコピーやムーブを行うことができる。従来は、コピーやムーブを行ないたい画像データを一旦デジタルカメラの内蔵メモリにコピーまたはムーブし、メモリカードを差し替えてから内蔵メモリ内の画像データを新たなメモリカードにコピーしたりムーブしたりしなければならなかった。あるいは、パーソナルコンピュータを用いて同様の処理を行なわなければならなかった。本発明の実施の形態に係るデジタルカメラ１００は、デジタルカメラ１００のみの簡単な操作でメモリカード間の画像データのコピーやムーブができるので、利便性が向上する。
【００２９】
カードスロット３０３、３０４の開口部は、本発明の実施の形態に係るデジタルカメラ１００のように回動部３００の対向する端面にそれぞれ設けてもよいし、同一の端面に設けてもよい。また、一方のカードスロットを予備のメモリカードを収納するためのダミースロットとしてもよい。ダミースロットは、電気的な接続を行なわず、単にメモリカードを収納するだけのスペースである。さらに、カードスロットは、一つであっても構わない。
（３．自分撮り）
近時のデジタルカメラにおいては、広角端の焦点距離が２５ｍｍから２８ｍｍ程度と短くなったために、画角が広くなった。そこで、いわゆる「自分撮り」という撮影方法が広く行なわれている。
【００３０】
図５は、「自分撮り」を説明する図である。ユーザは、デジタルカメラ１００の前面を自分の方に向けて構えて撮影する。このとき、従来のデジタルカメラでは、自分がデジタルカメラの画角内に適切に納まっているかを確認する方法がなかった。したがって、顔の一部が切れたり顔にピントが合っていなかったりする失敗写真を撮影してしまう場合があった。
【００３１】
本発明の実施の形態に係るデジタルカメラ１００は、タッチパネル付液晶モニタ３０１がデジタルカメラ１００の前面にある状態を回路基板上のＣＰＵが検知すると、液晶モニタ２２１ではなく、タッチパネル付液晶モニタ３０１に被写体の画像を表示させる。
【００３２】
図６は、本発明の実施の形態に係るデジタルカメラ１００の電源投入中の状態を示す図である。図６（ａ）は、タッチパネル付液晶モニタ３０１がデジタルカメラ１００の背面にある状態を示し、図６（ｂ）は、タッチパネル付液晶モニタ３０１がデジタルカメラ１００の前面にある状態を示す。
【００３３】
図６（ａ）、図６（ｂ）ともに、デジタルカメラ１００の電源が投入されているので、光学系２１１は、沈胴状態から延伸し撮影可能状態となっている。また、バリア２１２は、退避している。タッチパネル付液晶モニタ３０１がデジタルカメラ１００の前面にある状態では、タッチパネル付液晶モニタ３０１に被写体であるユーザの画像が表示される。「自分撮り」においても、ユーザは、タッチパネル付液晶モニタ３０１に表示された自分の画像を見ながら容易に構図を決めることができる。
【００３４】
なお、このとき、タッチパネル付液晶モニタ３０１に表示された被写体の画像の下部に、仮想のシャッターボタンを表示させてもよい。実際のシャッターボタン２０２は、デジタルカメラ１００を前面から見たときにデジタルカメラ１００の左側に位置するので、図５に示すように「自分撮り」は、左手でデジタルカメラ１００を把持して行なわれる。したがって、左手で実際のシャッターボタン２０２を押下することが困難な場合も想定される。そのような場合には、タッチパネル付液晶モニタ３０１に表示された仮想のシャッターボタンでも撮影ができるようにするとよい。なお、仮想のシャッターボタンは、半押しボタンと全押しボタンの二つを表示するようにしてもよい。
（４．タッチパネル）
図７は、タッチパネル付液晶モニタ３０１の表示例を示す図である。図７（ａ）は、タッチパネル付液晶モニタ３０１に仮想の回転操作部材を表示した例である。タッチパネル付液晶モニタ３０１に表示された二重円上を指でなぞることによって、回転操作ができる。図７（ｂ）は、タッチパネル付液晶モニタ３０１に仮想の四方向ボタンを表示した例である。図７（ｃ）は、タッチパネル付液晶モニタ３０１に仮想の回転操作部材の一部を立体的に表示した例である。
【００３５】
タッチパネル付液晶モニタ３０１は、それぞれの場面において必要となる操作部材を仮想的に表示することができる。また、ユーザの習熟度に応じた操作部材を仮想的に表示することができる。また、スライド、タップ、ダブルタップ等、様々な入力操作を受け付けることができる。
（５．その他の実施の形態）
（５−１．セルフタイマー）
タッチパネル付液晶モニタ３０１がデジタルカメラ１００の前面にある状態でセルフタイマーが起動されたときは、タッチパネル付液晶モニタ３０１に撮影までのカウントダウンを示す数字を表示してもよい。
【００３６】
セルフタイマーによる撮影では、あらかじめ液晶モニタ２２１によって画角を決定してからセルフタイマーを起動するので、タッチパネル付液晶モニタ３０１に被写体の画像を表示することは、あまり意味がない。それよりも、被写体であるユーザに撮影が行われるタイミングを示すことが重要である。
【００３７】
なお、デジタルカメラ１００と被写体であるユーザの距離が離れており、ユーザがタッチパネル付液晶モニタ３０１に表示された撮影までのカウントダウンを示す数字を視認することが困難であるときは、セルフタイマーの起動からの時間に合わせて、タッチパネル付液晶モニタ３０１全体の色を変えるようにしてもよい。例えば、青色から黄色を経て撮影が行われる直前には赤色に変わるようにすればよい。
（５−２．暗所動画撮影）
暗所での動画撮影において、短時間の閃光を発するフラッシュ２１３は役に立たない。そこで、タッチパネル付液晶モニタ３０１がデジタルカメラ１００の前面にある状態で動画撮影が行われたときは、タッチパネル付液晶モニタ３０１全体に白色を表示させるとよい。どの程度の輝度で表示させるかは、撮像素子が生成する画像データに基づいて、回路基板上のＣＰＵが決定してもよいし、ユーザが調整できるようにしてもよい。なお、ユーザの趣向に合わせて、タッチパネル付液晶モニタ３０１全体に白色以外の色を表示させてもよい。
（５−３．液晶モニタ協働）
本体部２００に備えられた液晶モニタ２２１と回動部３００に設けられたタッチパネル付液晶モニタ３０１を協働させることで、さらに利便性を向上させることができる。例えば、液晶モニタ２２１に複数の画像のサムネイルを表示し、選択された画像をタッチパネル付液晶モニタ３０１に表示させる。
【産業上の利用可能性】
【００３８】
本発明によれば、利便性を向上させた撮像装置を提供することができるので、デジタルカメラ、デジタルビデオカメラ、カメラ付携帯電話等の撮像装置に適用して有用である。
【符号の説明】
【００３９】
１００    デジタルカメラ
２００    本体部
２０１    電源ボタン
２０２    シャッターボタン
２０３    ズームレバー
２０４    メニューボタン
２０５    ＬＥＤ
２０６    スピーカ開口部
２１１    光学系
２１２    バリア
２１３    フラッシュ
２１４    ＡＦ補助光発光部
２１５    対物レンズ
２２１    液晶モニタ
３００    回動部
３０１    タッチパネル付液晶モニタ
３０２    回転軸
３０３、３０４    カードスロット
【図１】
2011071673.tif 000003
【図２】
2011071673.tif 000004
【図３】
2011071673.tif 000005
【図４】
2011071673.tif 000006
【図５】
2011071673.tif 000007
【図６】
2011071673.tif 000008
【図７】
2011071673.tif 000009